(57)【要約】【課題】洗い場領域全体において凸部上の湯水を溝内に確実に流し込んで床面の乾燥性を向上させることができ、洗い場領域を滑り難くすることができるようにすること。【解決手段】洗い場領域１２は、所定の排水口１４と、床面表面に形成されて略升目状をなす複数の凸部１５と、隣接する凸部１５相互間にそれぞれ形成されて排水口１４まで連通する溝１６とを含んで構成されている。凸部１５は、大小二種類の平面積を備えたもの、すなわち、大形凸部１８と小形凸部１９とからなっている。大形凸部１８が縦及び横方向に複数列並んだ領域が第１の領域２１とされ、当該第１の領域２１を囲むように小形凸部１９が連続的に配置された領域が第２の領域２２とされる。【選択図】      図２
2004251046.tif 000002
【特許請求の範囲】
【請求項１】
表面に形成された複数の凸部と、隣接する凸部相互間に形成されて所定の排水口まで連通する溝とを含む洗い場領域を備えた樹脂製の浴室床において、
前記凸部は、平面積が６〜２２０ｍｍ２内で少なくとも大小二種類の平面積を備えたものからなり、
前記溝は、幅が０．５〜３ｍｍ、深さが０．３〜１．５ｍｍに設定され、
前記洗い場領域は、大きい平面積を備えた凸部を含む第１の領域と、この第１の領域の凸部より小さい平面積の凸部を含む第２の領域とを備え、
前記第１の領域を囲むように第２の領域が配置されていることを特徴とする浴室床。
【請求項２】
前記第２の領域は、前記第１の領域を囲む位置に分散して配置されていることを特徴とする請求項１記載の浴室床。
【請求項３】
前記第２の領域は、前記第１の領域を囲む位置に連続的に配置されていることを特徴とする請求項１記載の浴室床。
【請求項４】
前記第１の領域は、洗い場領域内に散在して配置されていることを特徴とする請求項１、２又は３記載の浴室床。
【請求項５】
前記凸部は、略多角形、略円形、略楕円形の少なくとも一つの平面形状に設けられていることを特徴とする請求項１ないし４の何れかに記載の浴室床。
【請求項６】
前記第１及び第２の領域は、それぞれ略同一の平面形状及び平面積を有する凸部の集合により構成されていることを特徴とする請求項１ないし５の何れかに記載の浴室床。
【発明の詳細な説明】
【０００１】
【発明の属する技術分野】
本発明は、浴室床に係り、更に詳しくは、洗い場領域に残存する湯水を極力少なくして排水性及び乾燥性を向上させることができ、床面での滑りも防止できる浴室床に関する。
【０００２】
【従来の技術】
近時の住宅等にあっては、浴室をユニット化したいわゆるシステムバス等が主流になってきており、このシステムバス等の浴室床はＦＲＰ等により構成されている。このようなＦＲＰ製の浴室床は、その性質上、床面の表面張力が小さいため、入浴後の湯水が比較的大きい水滴となって残存し易く、このため、カビ等が発生し易くなったり、床面が滑り易くなるという問題がある。そこで、公知の浴室床としては、床面の乾燥性を改善した特許文献１に開示される形態や、床面の滑りを抑制可能な特許文献２に開示される形態が存在する。
【０００３】
前記特許文献１の浴室床は、平面形状が５ｍｍ×１０ｍｍに形成された縦長及び横長の長方形状をなす複数の凸部と、これら凸部間に形成されるとともに、幅２ｍｍ、深さ０．５ｍｍとなる溝とを備えている。このような形態にあっては、床面の水勾配によって湯水が流れるときに、床面上の水滴が各凸部により分断され、且つ、凸部上の水滴が溝に誘引されて当該溝内に流れ込み、大きい水滴の残存を防止して床面の乾燥性を向上させることができる。
また、前記特許文献２の浴室床は、浴槽と出入り口近傍領域にだけ細かいピッチで溝を設け、それ以外の領域に粗いピッチで溝を設けて大小二種類の凸部を形成する構成となっている。
【０００４】
【特許文献１】
特開２００２−５４２９５号公報
【特許文献２】
特開平７−９０８９６号公報
【０００５】
【発明が解決しようとする課題】
しかしながら、前述した特許文献１の形態にあっては、水勾配が浴室床の一箇所に形成された排水口に向かって床面を湾曲することにより形成されるため、水勾配が緩い領域が部分的に生じてしまう。しかも、床面全領域において各凸部の平面積が全て同一、つまり、単位面積当たりの溝の長さが一定となるため、当該単位面積当たりの溝内に流し込み可能な湯水の量は均一となり、前記水勾配が緩い領域における溝内の湯水が流れ難くなって当該溝が湯水を誘引する力が弱まってしまう。この結果、水勾配の緩い領域に水滴が残存し易くなり、床面全体の乾燥性を十分に改善することができないという不都合を生じる。
【０００６】
ここで、床面の水勾配を全体的に大きくしたり、各凸部の平面積をそれぞれ小さくして溝の長さを長くすれば、溝内の湯水を流れ易くすることができるが、この場合、床面全体における溝内を流れる湯水の流速が速くなりすぎてしまい、溝が湯水を誘引する力が却って低減し、水滴が残存し易くなるという別異の不都合を生じる。
【０００７】
また、特許文献２の形態にあっては、確かに、浴槽と出入り口近傍領域の滑りを防止できるものの、それ以外の領域では、水滴が残存してしまい、浴室床全体での滑り防止を実現することができないという不都合を招来する。
【０００８】
【発明の目的】
本発明は、このような不都合に着目して案出されたものであり、その目的は、洗い場領域全体において凸部上の湯水を溝内に確実に流し込んで乾燥性を向上させることができ、また、洗い場領域を滑り難くすることができる浴室床を提供することにある。
【０００９】
【課題を解決するための手段】
前記目的を達成するため、本発明は、表面に形成された複数の凸部と、隣接する凸部相互間に形成されて所定の排水口まで連通する溝とを含む洗い場領域を備えた樹脂製の浴室床において、
前記凸部は、平面積が６〜２２０ｍｍ２内で少なくとも大小二種類の平面積を備えたものからなり、
前記溝は、幅が０．５〜３ｍｍ、深さが０．３〜１．５ｍｍに設定され、
前記洗い場領域は、大きい平面積を備えた凸部を含む第１の領域と、この第１の領域の凸部より小さい平面積の凸部を含む第２の領域とを備え、
前記第１の領域を囲むように第２の領域が配置される、という構成を採っている。このような構成によれば、床面の単位面積当たりの溝が少ない第１の領域の回りに、単位面積当たりの溝が多い第２の領域が形成される。つまり、第１及び第２の領域の溝内に流し込み可能な湯水の量が異なるため、当該湯水が第２の領域に向かって流れ易くなり、第２の領域が第１の領域内の湯水を引っ張るような、いわゆるポンプ作用を発揮させることができる。従って、洗い場領域が水勾配の緩い領域を含んでいる場合であっても、当該領域に第２の領域を配置することにより前記ポンプ作用を発揮させることができるので、洗い場領域全体において溝内を流れる湯水の排水速度を適度に保持して、毛細管現象により溝内に湯水を誘引する力を安定的にさせて、乾燥効果を向上させることが可能となる。また、凸部を少なくとも大小二種類の平面積を備えたものにより構成したので、溝幅を部分的に変化させることなく、洗い場領域に引き締まったデザイン性を付与することも可能となり、水の吸引効果の低い幅５ｍｍ程度の柄溝等が不要となる。
ここで、凸部の平面積が６ｍｍ２未満であると、複数の凸部上の水滴がまとまって大きい水滴となって残存し易くなり、また、凸部の平面積が２２０ｍｍ２を越えても、凸部上に乾燥し難い大きい水滴が残存し易い。
更に、溝幅が０．５ｍｍ未満であると、溝内に汚れが堆積して当該溝において撥水作用を生じて溝内を湯水が流れ難くなった場合に、その汚れの除去が困難となる一方、溝幅が３ｍｍを越えると、凸部上の湯水を溝内に誘引する毛細管現象の効果が失われてしまう。
また、溝の深さが０．３ｍｍ未満であると、前記毛細管現象の効果が失われてしまう一方、溝の深さが２．０ｍｍを越えると、誘引効果は高いものの底部に汚れが堆積した際の清掃を行うことが著しく困難となる。
ここで、好ましくは、溝幅を１．０〜２．０ｍｍ、溝の深さを０．５〜１．０ｍｍに設定するとよい。このような範囲によれば、溝内の洗浄容易性を維持しつつ、前記毛細管現象の効果を更に向上できるという利点を得る。
【００１０】
【発明の実施の形態】
本発明において、第２の領域は、前記第１の領域を囲む位置に分散して配置される構成の他、前記第１の領域を囲む位置に連続的に配置される、という構成を採ることができる。これらの構成を任意に選択することで、第２の領域の配置領域を任意に選択でき、洗い場領域の面積及び水勾配に対応する乾燥性を考慮した設計上の自由度を向上させることができる。
【００１１】
また、第１の領域は、洗い場領域内に散在して配置される、という構成も好ましくは採用される。このような構成を採れば、一つ一つの凸部の平面積が異なる第１及び第２の領域が散在するため、洗い場領域全体において、入浴者の足裏に適度な摩擦抵抗を付与することができ、足を滑らせることを効果的に防止することが可能となる。
【００１２】
更に、前記凸部は、略多角形、略円形、略楕円形の少なくとも一つの平面形状に設けられる、という構成を採ることができる。このような構成では、凸部の形成縁を様々な方向に向けることができ、足が何れの方向を向いたとしても、足裏に摩擦抵抗を付与して滑りを防止することができる。また、溝も様々な方向に延びることとなり、溝内の排水速度の調整を行うことも可能となる。
ここで、「略多角形」とは、辺の数が３以上の自然数であり、頂点を形成する角の内角は０度より大きく３６０度未満で如何なる角度でもよく、また、辺は、直線、曲線、波線、湾曲線等どのような形状であってもよい。
【００１３】
また、前記第１及び第２の領域は、それぞれ略同一の平面形状及び平面積を有する凸部の集合により構成することもでき、これによれば、第１及び第２の領域の配置パターンに更なるバリエーションを付与することが可能となる。
【００１４】
なお、本明細書において、「洗い場領域」とは、浴室を構成する床面領域のうち浴槽が置かれる領域を除く床面領域を意味する。
【００１５】
【実施例】
以下、本発明の実施例を図面を参照しながら説明する。
【００１６】
［第１実施例］
図１には、第１の実施例に係る浴室床が適用されたシステムバスの床面部分の概略平面図が示されている。この図において、床パネル１０は、特に限定されるものではないが、ＳＭＣ等のＦＲＰ（繊維強化プラスチック）によって形成される。浴室床１０は、浴槽１１Ａが置かれる図１中左側の浴槽設置領域１１と、同図中右側に位置する洗い場領域１２（図中網点で示される領域）とにより構成されている。
【００１７】
前記洗い場領域１２は、図２及び図３に示されるように、図２中左端側略中央部に設けられた排水口１４と、床面表面に形成されて略升目状をなす多数の凸部１５と、隣接する凸部１５相互間にそれぞれ形成されて排水口１４まで連通する溝１６とを含んで構成されている。洗い場領域１２は水勾配を備えており、当該水勾配は、排水口１４へ向かって傾斜する湾曲した面形状に形成されている。
【００１８】
前記凸部１５は、平面視略正方形状に形成され、大小二種類の平面積を備えたもの、すなわち、大形凸部１８と小形凸部１９とからなっている。大形凸部１８は、一辺の長さが８〜１１ｍｍ、平面積が約６４〜１２１ｍｍ２に設定される。また、小形凸部１９は、一辺の長さが２．５〜５ｍｍ、平面積が約６．３〜２５ｍｍ２に設定される。
【００１９】
ここで、図２中、大形凸部１８が縦及び横方向に複数列並んで平面視略長方形状に形成された領域が第１の領域２１とされ、当該第１の領域２１を囲むように、すなわち、第１の領域２１の外周部を縁取るように小形凸部１９が連続的に配置された領域が第２の領域２２とされる。また、洗い場領域１２の縦及び横方向に二列ずつ形成されるとともに、第２の領域２２の回りを囲むように配置された大形凸部１８が第３の領域２３とされる。
【００２０】
洗い場領域１２の面内中央部に位置する第１の領域２１は、大形凸部１８が横方向に２８列、縦方向に３９列並んで形成され、それ以外の第１の領域２１は、前述した列数を越えることなく洗い場領域１２の外周部に達するまで、できるだけ多くの列数をなすように大形凸部１８が並んで形成されている。また、第２の領域２２は、図３に示されるように、小形凸部１９が６つ並んだ幅Ｗ１を備える一方、第３の領域２３は、大形凸部１８が１つ分の幅Ｗ２を備えている。
【００２１】
前記溝１６は、図４に示されるように、幅ｗが０．５〜３ｍｍ、深さｄが０．３〜１．５ｍｍとなる断面視略凹状に形成され、毛細管現象によって凸部１５上に位置する湯水を溝１６内に誘引する力を発揮するようになっている。ここで、溝１６は、好ましくは、幅ｗを１．０〜２．０ｍｍ、深さｄを０．５〜１．０ｍｍに設定するとよい。
【００２２】
以上の構成において、洗い場領域１２に大量の湯水を流すと、当該湯水の大部分は、凸部１５上及び溝１６を通って排水口１４に流れ込む。そして、湯水の一部は、凸部１５上に残存して安定的に存在しようとし、その表面積を減らす方向に移動する。このとき、湯水が凸部１５の形成縁によって分断されつつ、毛細管現象によって凸部１５に隣接する溝１６内に誘引される。溝１６内の湯水は、洗い場領域１２の水勾配によって排水口１４に流れ込むが、湯水が第１の領域２１を通過した後、第２の領域２２を通過するときに、第２の領域２２が第１の領域２１内の湯水を引っ張るポンプ作用を発揮するようになる。これにより、溝１６内を流れる湯水の排水速度を適度に調整でき、洗い場領域１２の略全域において毛細管現象による誘引力を安定させることができる。
【００２３】
従って、このような第１の実施例によれば、溝１６が第１及び第２の領域２１，２２を交互に通過して排水口１４に連通するため、溝１６の湯水を誘引する力が安定し、凸部１５上での湯水の部分的な凝集や湯水の連続的な流れの寸断が発生し難くなり、凸部１５上に湯水が残り難くなって洗い場床領域１２を早く乾燥させることが可能になる。更に、平面積の異なる大形凸部１８及び小形凸部１９が設けられているので、足裏に摩擦抵抗を効果的に付与することができ、洗い場領域１２上での滑りを防止することが可能となる。
【００２４】
次に、本発明の前記以外の実施例について説明する。なお、以下の説明において、前記第１の実施例と同一若しくは同等の構成部分については必要に応じて同一符号を用いるものとし、説明を省略若しくは簡略にする。
【００２５】
［第２実施例］
図５及び図６には、本発明の第２の実施例が示されている。この実施例は、第１及び第２の領域２１，２２の間に中形凸部２５を配置し、当該中形凸部２５が配置された領域を中間領域２６としたものである。
【００２６】
前記中形凸部２５は、平面視略長方形状に形成されており、長片を形成する形成縁が隣接する第１の領域２１の外周部に沿う方向に向けられている。中形凸部２５は、長片の長さが前記大形凸部１８の一辺の長さと略同一に設定され、短辺の長さが前記小形凸部１９の一辺の長さと略同一に設定される。また、中間領域２６は、中形凸部２５が４つ並んだ幅Ｗ３（図６参照）を備え、第２の領域と同様に第１の領域を囲むように配置されている。
【００２７】
このような第２の実施例によれば、第１の領域２１と第２の領域２２との間を通過する湯水の排水速度をよりスムースに変化させることができ、第２の領域２２の有するポンプ作用を発揮し易くすることが可能となる。
【００２８】
［第３実施例］
図７及び図８には、本発明の第３の実施例が示されている。この実施例は、洗い場領域１２の外周縁に対して略４５度傾けられた矢印Ａ方向及び矢印Ｂ方向（図７参照）と略平行になるように溝１６を設けて各凸部１５を形成したものである。
【００２９】
第３の実施例の凸部１５は、平面視略正方形状の大形凸部２８及び小形凸部２９とからなっている。大形凸部２８は、第１の実施例の大形凸部１８と略同一となる辺の長さ及び平面積を備えている。一方、小形凸部２９は、一辺の長さが５〜７ｍｍ、平面積が約２５ｍｍ２〜４９ｍｍ２に設定されている。ここで、図７中、大形凸部２８が前記矢印Ａ及び矢印Ｂ方向に沿って複数列並んで形成された領域が第１の領域３１とされ、当該第１の領域３１を囲むように小形凸部２９が連続的に配置された領域が第２の領域３２とされる。
【００３０】
前記第１の領域３１は、大形凸部２８が前記矢印Ａ及び矢印Ｂ方向に２０列ずつ並んで形成された領域３１Ａと、矢印Ａ方向に４列、矢印Ｂ方向に２０列若しくは矢印Ａ方向に２０列、矢印Ｂ方向に４列並んで形成された領域３１Ｂとの二種類の平面積を備えた領域からなり、これら領域３１Ａ，３１Ｂが前記矢印Ａ及び矢印Ｂ方向に沿って交互に配置されている。一方、第２の領域３２は、第１の領域３１を構成する各領域３１Ａ，３１Ｂの境界上に設けられ、小形凸部２９一つ分の幅を備えている。なお、第１の領域３１のうち、平面積が大きい方の領域３１Ａのコーナー近傍位置には、小形凸部２９が前記矢印Ａ及び矢印Ｂ方向に沿って複数列並んだ領域も形成される。
【００３１】
［第４実施例］
図９及び図１０には、本発明の第４の実施例が示されている。この実施例は、帯状をなす第２の領域３５を、図９中矢印Ａ及び矢印Ｂ方向に沿って略等間隔毎に設け、これら第２の領域３５で囲まれた領域を第１の領域３４としたものである。この第１の領域３４は、略正方形状をなす第１のブロック３６を前記矢印Ａ及び矢印Ｂ方向に１０列ずつ並べて形成されている。第１のブロック３６は、当該ブロックを前記矢印Ａ又は矢印Ｂ方向に沿って略四等分する位置に形成された緩やかなＳ字状をなす湾曲溝３７を備え、当該湾曲溝３７と第１のブロック３６の外周位置に形成された溝１６とにより細長い大形凸部３９が形成される。第１の領域３４は、湾曲溝３７が前記矢印Ａ方向に沿って延びる第１のブロック３６と、前記矢印Ｂ方向に沿って延びる第１のブロック３６とを交互に配置することにより構成される。
【００３２】
前記第２の領域３５は、正方形状をなす第２のブロック４０が前記矢印Ａ及び矢印Ｂ方向に沿って複数個連なることにより構成されている。第２のブロック４０は、面内中央部に位置する正方形状の極小形凸４１部と、この極小形凸部４１を取り囲むように配置された長方形状の四つの小形凸部４２とからなっている。
【００３３】
前記第１のブロック３６は、その一辺の長さが２９〜３１ｍｍに設定され、第２のブロック４０は、その一辺の長さが１７〜１９ｍｍに設定されている。大形凸部３９の平面積は約１４５〜２１７ｍｍ２に設定され、極小形凸部４１の平面積は約１２．２５〜３６ｍｍ２に設定され、小形凸部４２の平面積は約３８．５〜７８ｍｍ２に設定されている。
【００３４】
［第５実施例］
図１１及び図１２には、本発明の第５の実施例が示されている。この実施例は、前述した第４の実施例と略同じ位置に第１及び第２の領域４４，４５を配置し、これらの領域４４，４５を構成する凸部の形態を変えたものである。すなわち、第５の実施例における第１の領域４４は、略正方形状をなすブロック４６を図１１中矢印Ａ及び矢印Ｂ方向に６列ずつ並べて形成されている。第１のブロック４６は、その面内中央部に配置された正方形状の中央凸部４８と、この中央凸部４８を取り囲むように配置された長方形状をなす４つの中間大形凸部４９と、これら中間大形凸部４９の外側を取り囲む４つの外側大形凸部５０とにより構成されている。ここで、第１のブロック４６の一辺の長さは、３７〜３９ｍｍに設定され、中央凸部４８、中間大形凸部４９、外側大形凸部５０の平面積は約２５〜４９ｍｍ２、約６５〜１０５ｍｍ２、約１４５〜２１７ｍｍ２に設定されている。
【００３５】
前記第２の領域４５は、複数の小形凸部５１を並べて構成され、この小形凸部５１は、第２の領域４５の延出方向に沿って延びる細長い長方形状に設けられている。小形凸部５１は、その短辺が２．５〜４．５ｍｍ、長片が１７〜１９ｍｍ、平面積が約４２．５〜８５．５ｍｍ２に設定されている。
【００３６】
［第６実施例］
図１３には、本発明の第６の実施例の部分拡大図が示されている。本実施例の凸部１５は、略正方形状をなす大形凸部５３及び小形凸部５４からなり、大形凸部５３が第１の領域５５を形成する一方、小形凸部５４が第２の領域５６を形成する。大形凸部５３及び小形凸部５４は、一辺の長さが８〜１１ｍｍ、３〜５．０ｍｍにそれぞれ設定され、平面積が約６４〜１２１ｍｍ２、約９〜２５ｍｍ２にそれぞれ設定されている。
【００３７】
ここで、本実施例では、第１の領域５５を囲む位置に第２の領域５６が分散して配置されているが、これらの領域５５，５６を種々の視点から見出すことができる。例えば、図１３中●印を付した大形凸部５３、すなわち、縦及び横方向に三列ずつ並べた大形凸部５３を第１の領域５５としたときに、当該第１の領域５５の回りに位置する同図中○印を付した小形凸部５４がそれぞれ第２の領域５６を形成する。また、同図中◆印を付した大形凸部５３、すなわち、縦方向に二つ並べられた大形凸部５３を第１の領域５５としたときに、◇印を付した小形凸部５４がそれぞれ第２の領域５６を形成し、■印を付した１つの大形凸部５３を第１の領域５５としたときに、これを囲む□印を付した小形凸部５４がそれぞれ第２の領域５６を形成する。このように、本実施例では、複数の第１の領域５５が洗い場領域内に散在し、これら第１の領域５５を囲む位置に第２の領域５６が配置されている。
なお、図１３中、●、○等の印は、説明の便宜上、第１及び第２の領域５５，５６を特定するために付したものであり、実際の各凸部５３，５４に付されるものでない。
【００３８】
［第７実施例］
図１４には、本発明の第７の実施例の部分拡大図が示されている。この実施例の第１の領域５８は、大形凸部５９を縦方向に３列、横方向に３列若しくは２列並べて複数箇所に形成されている。また、第２の領域６０は、各第１の領域５８の間に配置されるとともに、小形凸部６１を２つ並べた幅として格子状に形成されている。なお、大形凸部５９及び小形凸部６１の平面形状及び平面積は、前記第６の実施例と略同一とされる。
【００３９】
［第８実施例］
図１５には、本発明の第８の実施例の部分拡大図が示されている。この実施例は、前記第７の実施例に対して、第１の領域５８における大形凸部５９の列数を変え、縦方向に１１列（図中一部省略）、横方向に１１列としたものである。また、第２の領域６０は、小形凸部６１を４つ並べた幅を備えている。
【００４０】
［第９実施例］
図１６には、本発明の第９の実施例の部分拡大図が示されている。この実施例の凸部１５は、略直角二等辺三角形状をなす大形凸部６３及び小形凸部６４とからなり、大形凸部６３が第１の領域６５を形成する一方、小形凸部６４が第２の領域６６を形成する。第１の領域６５は、１２個の大形凸部６３を組み合わせて縦長の長方形状をなす一方、第２の領域６６は、各第１の領域６５の間に配置されるとともに、小形凸部６１を組み合わせて並べて格子状に形成されている。なお、大形凸部６３及び小形凸部６４は、前記直角を形成する二辺の長さが１１〜１３ｍｍ、４〜６ｍｍにそれぞれ設定され、平面積が約６０．５〜８４．５ｍｍ２、約８〜１８ｍｍ２にそれぞれ設定されている。
【００４１】
［第１０実施例］
図１７には、本発明の第１０の実施例の部分拡大図が示されている。この実施例の凸部１５は、略正六角形状をなす大形凸部６８及び小形凸部６９と、略菱形状をなす極小形凸部７０とからなり、大形凸部６８が第１の領域７１を形成する一方、小形凸部６９及び極小形凸部７０が第２の領域７２を形成する。第１の領域７１は、大形凸部６８を図中右下方向に沿って２列並べて複数箇所に形成されている。一方、第２の領域７２は、小形凸部６９及び極小形凸部７０を組み合わせ、各第１の領域７１間に配置されて横方向及び右下方向に沿って延びるように形成されている。
【００４２】
前記大形凸部６８の一辺の長さは、９〜１０ｍｍに設定され、小形凸部６９及び極小形凸部７０の一辺の長さは、３〜４．５ｍｍに設定されている。また、大形凸部６８，小形凸部７０及び極小形凸部７１の各平面積は、約２３．４〜２６．０ｍｍ２、約７．８〜１１．７ｍｍ２、２．６〜３．９ｍｍ２にそれぞれ設定されている。
【００４３】
［第１１実施例］
図１８には、本発明の第１１の実施例の部分拡大図が示されている。この実施例の凸部１５は、略正方形状をなす大形凸部７５及び極小形凸部７６と、略長方形状をなす小形凸部７７とからなり、大形凸部７５を縦及び横方向に三列ずつ並べて第１の領域７８が形成される一方、小形凸部７７及び極小形凸部７６を組み合わせ、格子状に並べて第２の領域７２が形成される。
【００４４】
前記大形凸部７５の一辺の長さ及び小形凸部７７の長片の長さは、１０〜１３ｍｍに設定され、小形凸部７７の短辺の長さ及び極小形凸部７６の一辺の長さは、４〜６ｍｍに設定されている。また、大形凸部７５、小形凸部７７及び極小形凸部７６の各平面積は、約１００〜１６９ｍｍ２、約４０〜７８ｍｍ２、約１６〜３６ｍｍ２にそれぞれ設定されている。
【００４５】
［第１２実施例］
図１９には、本発明の第１２の実施例の部分拡大図が示されている。この実施例の凸部１５は、略円形をなす大形凸部８１、小形凸部８２及び極小形凸部８３とからなり、これら各凸部８１〜８３の間に溝１６が形成されている。大形凸部８１は、第１の領域８４を形成し、洗い場領域１２に散在して複数箇所に配置されている。小形凸部８２は、各大形凸部８１の回りに５つずつ配置される一方、極小形凸部８３は、大形凸部８１及び小形凸部８２以外の領域を埋めるように形成され、小形凸部８２及び極小形凸部８３により第２の領域が形成される。大形凸部８１、小形凸部８２及び極小形凸部８３の各直径は、３〜４ｍｍ、７〜８ｍｍ、１３〜１４ｍｍにそれぞれ設定され、各平面積は、約７．１〜１２．６ｍｍ２、約３８．５〜５０．２ｍｍ２、１３３〜１５４ｍｍ２にそれぞれ設定されている。
【００４６】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施例に対し、形状、数量、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００４７】
例えば、前記洗い場領域１２の平面形状は、コーナー部分を円弧状に形成する等、種々の設計変更が可能である。また、溝１６も、幅が０．５〜３ｍｍ、深さが０．３〜１．５ｍｍの範囲内であれば、断面視Ｖ字形状やＵ字形状、角部を有するものや曲面部を有するもの等、様々な形状の溝を採用することができると共に、全体を同一形状にする必要はなく、部分的に溝１６の形状を変えるように構成しても良い。更に、凸部１５や溝１６の表面に数μｍの凹凸を形成することにより凸部１５上の水滴の面積を拡大させたり溝１６の吸引力を強くさせたりすることも可能である。
【００４８】
また、前記各実施例における凸部１５は、凸部１５の平面積が約６〜２２０ｍｍ２の範囲内であり、第１の領域を囲む位置に第２の領域が配置されている限りにおいて、列数、配置数、平面積や平面形状を変えてもよい。例えば、第１の実施例の洗い場領域に、略三角形状やほぼ略楕円状の凸部１５を更に配置する構成とすることも可能である。
【００４９】
【発明の効果】
以上説明したように、本発明は、大きい平面積を備えた凸部を含む第１の領域を囲むように、当該第１の領域の凸部より小さい平面積の凸部を含む第２の領域を配置する構成としたから、第１の領域より第２の領域の方が、床面の単位面積当たりの溝が多くなるため、第２の領域に向かって湯水が流れやすくなり、これにより、第１の領域内の湯水を引っ張るポンプ作用を第２の領域に付与することが可能となる。従って、洗い場領域に水勾配が緩い領域があったとしても、洗い場領域全体で溝内を流れる湯水の排水速度を適度に保って、溝内の湯水を誘引する力を安定させることができ、乾燥性を向上させることが可能となる。
【００５０】
また、第２の領域は、第１の領域を囲む位置に分散して若しくは連続的に配置されているから、洗い場領域の平面積や水勾配に対応して、第２の領域の配置領域を決定することができ、床面の乾燥性を十分に考慮した設計を容易に採用することが可能となる。
【００５１】
更に、第１の領域を洗い場領域内に散在して配置した場合には、凸部の平面積が異なる第１及び第２の領域を散在させることができ、洗い場領域全体において、入浴者の足裏に適度な摩擦抵抗を付与して足を滑らせることを防止することが可能となる。
【００５２】
また、凸部を略多角形、略円形、略楕円形の少なくとも一つの平面形状とした場合には、凸部の形成縁が多方向に向けられるため、足が何れの方向を向いたとしても、足裏に摩擦抵抗をより良く付与することができる。
【００５３】
更に、第１及び第２の領域は、それぞれ略同一の平面形状及び平面積を有する凸部の集合としたから、第１及び第２の領域の配置パターンに多くのバリエーションを付与することができる。
【図面の簡単な説明】
【図１】第１の実施例に係る浴室床の概略平面図。
【図２】図１の洗い場領域の拡大平面図。
【図３】図２のＳ１領域の拡大平面図。
【図４】図３のＸ線に沿う拡大断面図。
【図５】第２の実施例に係る洗い場領域の拡大平面図。
【図６】図５のＳ２領域の拡大平面図。
【図７】第３の実施例に係る洗い場領域の拡大平面図。
【図８】図７のＳ３領域の拡大平面図。
【図９】第４の実施例に係る洗い場領域の拡大平面図。
【図１０】図９のＳ４領域の拡大平面図。
【図１１】第５の実施例に係る洗い場領域の拡大平面図。
【図１２】図１１のＳ５領域の拡大平面図。
【図１３】第６の実施例に係る図３と同様の拡大平面図。
【図１４】第７の実施例に係る図３と同様の拡大平面図。
【図１５】第８の実施例に係る図３と同様の拡大平面図。
【図１６】第９の実施例に係る図３と同様の拡大平面図。
【図１７】第１０の実施例に係る図３と同様の拡大平面図。
【図１８】第１１の実施例に係る図３と同様の拡大平面図。
【図１９】第１２の実施例に係る図３と同様の拡大平面図。
【符号の説明】
１０・・・浴室床、１２・・・洗い場領域、１４・・・排水口、１５・・・凸部、１６・・・溝、２１，３１，３４，４４，５５，５８，６５，７１，７８，８４・・・第１の領域、２２，３２，３５，４５，５６，６０，６６，７２，７９，８５・・・第２の領域
【図１】
2004251046.tif 000003
【図２】
2004251046.tif 000004
【図３】
2004251046.tif 000005
【図４】
2004251046.tif 000006
【図５】
2004251046.tif 000007
【図６】
2004251046.tif 000008
【図７】
2004251046.tif 000009
【図８】
2004251046.tif 000010
【図９】
2004251046.tif 000011
【図１０】
2004251046.tif 000012
【図１１】
2004251046.tif 000013
【図１２】
2004251046.tif 000014
【図１３】
2004251046.tif 000015
【図１４】
2004251046.tif 000016
【図１５】
2004251046.tif 000017
【図１６】
2004251046.tif 000018
【図１７】
2004251046.tif 000019
【図１８】
2004251046.tif 000020
【図１９】
2004251046.tif 000021